(57)【要約】【課題】  装置の小型化に適した対物レンズホルダのトラッキング方向又はフォーカシング方向の移動規制手段を具備した対物レンズ駆動装置を提案する。【解決手段】  対物レンズ駆動装置１において、対物レンズ４を保持するレンズホルダ１１を、ワイヤ１２を介し少なくともトラッキング方向に移動可能に支持するホルダ支持部材１３と、前記レンズホルダに推力を付与する磁気駆動機構１４と、前記磁気駆動機構１４を覆う遮蔽部８と前記対物レンズ４のレンズ面を露出させる開口部３を有する装置カバー２とを有する構成とし、前記装置カバー２には、前記レンズホルダ１１のトラッキング方向の移動量を規制する第１の移動規制部７を有する。【選択図】  図２
2007035212.tif 000002
【特許請求の範囲】
【請求項１】
対物レンズを保持するレンズホルダと、該レンズホルダを、弾性支持部材を介し少なくともトラッキング方向に移動可能に支持するホルダ支持部材と、前記レンズホルダに推力を付与する磁気駆動機構と、前記磁気駆動機構を覆う遮蔽部と前記対物レンズのレンズ面を露出させる開口部を有する装置カバーとを備えた対物レンズ駆動装置において、
前記装置カバーには、前記レンズホルダのトラッキング方向の移動量を規制する第１の移動規制部を有することを特徴とする対物レンズ駆動装置。
【請求項２】
請求項１において、前記第１の移動規制部は、前記レンズホルダが過剰変位したとき当該レンズホルダと当接し且つ前記弾性支持部材を当該第１の移動規制部及び前記装置カバーとは接触させない位置に設けられていることを特徴とする対物レンズ駆動装置。
【請求項３】
請求項１または２において、前記第１の移動規制部は、レンズホルダの側面部と対向する前記装置カバー内面側に設けられた第１の突起部から構成されていることを特徴とする対物レンズ駆動装置。
【請求項４】
請求項３において、第１の突起部はフォーカシング方向に延設されたリブ状の突起部であることを特徴とする対物レンズ駆動装置。
【請求項５】
請求項１ないし４のいずれかにおいて、前記装置カバーには、フォーカシング方向の移動量を規制する第２の移動規制部を有することを特徴とする対物レンズ駆動装置。
【請求項６】
請求項５において、第２の移動規制部は、前記装置カバーの開口部の縁部から対物レンズ側に向かって張出した第２の突起部から構成されていることを特徴とする対物レンズ駆動装置。
【請求項７】
請求項６において、前記レンズホルダには、前記第１の突起部に当接可能な第１の当接部と、前記第２の突起部に当接可能な第２の当接部とが設けられていることを特徴とする対物レンズ駆動装置。
【請求項８】
請求項７において、第２の当接部は、前記レンズホルダの対物レンズが搭載される面側に設けられるとともに、周囲の面とは前記第２の突起部から遠ざかる方向に段差をなすよう形成されていることを特徴とする対物レンズ駆動装置。
【請求項９】
請求項７において、弾性支持部材は細長い線状支持部材からなるとともに、第１の突起部及び第１の当接部は、前記弾性支持部材のレンズホルダ固定端よりも先端側に配設されていることを特徴とする対物レンズ駆動装置。
【請求項１０】
請求項６において、第１の突起部と第２の突起部は、互いに近傍の位置に配置されていることを特徴とする対物レンズ駆動装置。
【請求項１１】
請求項１ないし１０のいずれかにおいて、前記レンズホルダ及び装置カバーは樹脂からなることを特徴とする対物レンズ駆動装置。
【発明の詳細な説明】
【技術分野】
【０００１】
本発明は、ＣＤやＤＶＤなどの光記録ディスクの再生、記録に用いられる光ヘッド装置の対物レンズ駆動装置に関するものである。
【背景技術】
【０００２】
ＣＤやＤＶＤなどの光記録ディスクの記録、再生等に用いられる光ヘッド装置は、一般に、光源からの出射光を光記録ディスクに収束させる対物レンズを駆動するための対物レンズ駆動装置を有している。この対物レンズ駆動装置は、可撓性の支持部材でフォーカシング方向及びトラッキング方向に移動可能に支持された対物レンズを保持する対物レンズホルダの側に配置された駆動コイルと、固定側部材の側で駆動コイルに対向する駆動マグネットとを備えた磁気駆動機構を備えており、駆動コイルに給電し、駆動コイルと駆動マグネットの間に作用する磁気力を利用して、レンズホルダを所定方向に駆動する。
【０００３】
かかる対物レンズ駆動装置では、外部からの衝撃等で対物レンズホルダがフォーカシング方向やトラッキング方向に過剰変位して光記録ディスクに衝突したり、あるいは変位したまま元の位置に復帰しないという事態等を避けるため、対物レンズホルダの移動量を規制するための手段を設けたものが知られている（例えば、特許文献１参照）。
【特許文献１】特開２００４−１３９６７３号公報
【発明の開示】
【発明が解決しようとする課題】
【０００４】
特許文献１に記載のものは、フォーカス制御コイル巻付部（対物レンズホルダ）に備えたストッパー部をアクチュエータカバーの内面側の開口部の周縁部に接触させてフォーカシング方向の移動規制を行うものである。ただしトラッキング方向の規制手段についての開示はなく、外部からの衝撃などで線状支持部材がベース上に設けた側壁部に直接接触して線状支持部材が変形してしまう問題がある。
【０００５】
この問題を解決するために、前記側壁部に直接レンズホルダの一部を接触させる一方ワイヤは側壁部に接触させないようにしてトラッキング方向の移動規制を行うことも考えられるが、装置の大型化を伴うという欠点がある。
【０００６】
以上の問題点に鑑みて、本発明の課題は、装置の小型化に適した対物レンズホルダのトラッキング方向又はフォーカシング方向の移動規制手段を具備した対物レンズ駆動装置を提案することにある。
【課題を解決するための手段】
【０００７】
上記課題を解決するために、本発明では、対物レンズを保持するレンズホルダと、該レンズホルダを、弾性支持部材を介し少なくともトラッキング方向に移動可能に支持するホルダ支持部材と、前記レンズホルダに推力を付与する磁気駆動機構と、前記磁気駆動機構を覆う遮蔽部と前記対物レンズのレンズ面を露出させる開口部を有する装置カバーとを備えた対物レンズ駆動装置において、前記装置カバーには、前記レンズホルダのトラッキング方向の移動量を規制する第１の移動規制部を有することを特徴とする。
【０００８】
本発明において、前記第１の移動規制部は、前記レンズホルダが過剰変位したとき当該レンズホルダと当接し且つ前記弾性支持部材を当該第１の移動規制部及び前記装置カバーとは接触させない位置に設けられていることが好ましい。この構成により、外部からの衝撃などで弾性支持部材が装置カバーに直接接触しないため、前記支持部材の変形を防止できる。
【０００９】
本発明において、前記第１の移動規制部は、レンズホルダの側面部と対向する前記装置カバー内面側に設けられたリブ状の突起であることが好ましい。このように構成すれば、装置カバーの剛性が高まり、レンズホルダのトラッキング方向の強い衝撃にも十分耐えうる。
【００１０】
本発明において、前記装置カバーには、フォーカシング方向の移動量を規制する第２の移動規制部を有することが好ましい。これは、前記装置カバーの開口部の縁部から対物レンズ側に向かって張出した第２の突起部とすることで達成できる。このようにすればフォーカシング方向と、トラッキング方向の両方向とも１つの部材で移動規制することが可能となる。従って、特別な規制部材を設けることなく、通常具備する装置カバーとレンズホルダのみで両方向の移動量を規制することができる。
【００１１】
本発明において、前記レンズホルダには、前記第１の突起部に当接可能な第１の当接部と、前記第２の突起部に当接可能な第２の当接部とが設けられていて、第２の当接部は、前記レンズホルダの対物レンズが搭載される面側に設けられるとともに、周囲の面とは前記第２の突起部から遠ざかる方向に段差をなすよう形成されていることが好ましい。このように構成すると、フォーカシング方向の移動量を確保でき、装置を小型化することができる。
【００１２】
本発明において、弾性支持部材は細長い線状支持部材からなるとともに、第１の突起部及び第１の当接部は、前記弾性支持部材のレンズホルダ固定端よりも先端側に配設されていることが好ましい。このように構成すれば、弾性支持部材に干渉することなく第１の移動規部を形成できる。
【００１３】
本発明において、第１の突起部と第２の突起部は、互いに近傍の位置に配置されていることが好ましい。このように構成すると、装置の小型化ができまた第２の突起部の剛性が高められる。
【００１４】
本発明において、前記レンズホルダ及び装置カバーは樹脂からなることが好ましい。このように構成すると、装置全体の軽量化とともに、レンズホルダの過剰変位時の衝撃を緩和することができる。
【発明の効果】
【００１５】
本発明は、対物レンズを保持するレンズホルダと、該レンズホルダを、弾性支持部材を介し少なくともトラッキング方向に移動可能に支持するホルダ支持部材と、前記レンズホルダに推力を付与する磁気駆動機構と、前記磁気駆動機構を覆う遮蔽部と前記対物レンズのレンズ面を露出させる開口部を有する装置カバーとを備えた対物レンズ駆動装置において、前記装置カバーには、前記レンズホルダのトラッキング方向の移動量を規制する第１の移動規制部を有する。従って、特別なトラッキング方向の移動規制部を設ける必要が無いため装置を小型化できる。
【発明を実施するための最良の形態】
【００１６】
以下に、図面を参照して、本発明を適用した対物レンズ駆動装置の一例を説明する。
【００１７】
（装置全体の概略構成）
図１（ａ）、（ｂ）は、本発明を適用した対物レンズ駆動装置の概略構成を示す平面図、およびその側面図である。図２（ａ）、（ｂ）は、本発明を適用した装置カバーを装着した状態を示す斜視図、及び装置カバーを取り外した状態を示す分解斜視図である。  
【００１８】
対物レンズ駆動装置１は、対物レンズ４を中央のレンズ保持部４０で保持しているレンズホルダ１１と、レンズホルダ１１の左右両側で上下３段に配置された弾性支持部材としての６本のワイヤ１２によりレンズホルダ１１を変位可能に支持するホルダ支持部材１３と、レンズホルダ１１を矢印Ｔｒで示すトラッキング方向、矢印Ｆｏで示すフォーカシング方向、および矢印Ｔｉで示すチルト方向に駆動するための磁気駆動機構１４とを有している。６本のワイヤ１２は各々、後述するフォーカシング駆動コイル１８、トラッキング駆動コイル１９、およびチルト駆動コイル１７への給電ワイヤとして用いられている。このため、ワイヤ１２の基端側は、ホルダ支持部材１３の背面に取り付けた例えばプリント基板１３０の配線パターンにハンダ等により各々固定され、ワイヤ１２の先端側は、レンズホルダ１１の左右両側に固着されている中継基板１６にハンダにより固定されている。
【００１９】
対物レンズ４の外周部を取り巻くように光記録ディスクよりも軟質の樹脂材からなるレンズキャップ４１が対物レンズ４に固定されている。
【００２０】
ここで、対物レンズ駆動装置１は、該装置の一部を覆う樹脂材料からなる装置カバー２    が装着されている。これは主に、装置組立時等において誤って磁気駆動機構１４等に接触して機構を損傷させたり、外部から異物等が浸入することを防ぐためである。
【００２１】
（磁気駆動機構１４の構成）
図３は、レンズホルダ１１をワイヤ１２の基端側からみたときの構造を拡大して示す斜視図である。図４（ａ）および（ｂ）はそれぞれ、駆動マグネット２１の平面図、および駆動マグネット２１と駆動コイル１７〜１９との位置関係を示す正面図である。なお、以下に説明する駆動コイル１７〜１９および駆動マグネット２１は、トラッキング方向と直交する方向においてレンズホルダ１１の両側（一方の端面１１１の側および他方の端面１１２の側）に同一の構成をもって配置されているため、その一方側に構成されている駆動コイル１７〜１９および駆動マグネット２１のみを説明する。
【００２２】
図１、図３および図４（ａ）、（ｂ）に示すように、磁気駆動機構１４は、レンズホルダ１１の一方側の端面１１１の側に、１つのフォーカシング駆動コイル１８、トラッキング方向に配置された一対のトラッキング駆動コイル１９と、トラッキング方向に配置された一対のチルト駆動コイル１７を有する一方、ヨーク２２（固定側部材）の側には、これらの駆動コイル１７〜１９に鎖交する磁束を発生させることにより、トラッキング用、フォーカシング用、およびチルト用の磁気駆動回路を構成する共通駆動マグネット２１を有している。ヨーク２２は磁性鋼板から形成されており、共通駆動マグネット２１は、ヨーク２２の底板部２２１を外側から切り起こしたマグネット保持部２２２の内面に固着されている。このようにして、共通駆動マグネット２１は、各駆動コイル１７〜１９に対向している。
【００２３】
フォーカシング駆動コイル１８は、扁平な巻き線型コイルであり、銅線あるいはアルミクラッド線を台形状に巻回して形成されている。フォーカシング駆動コイル１８は、２つの斜辺部１８６、上底に相当する短辺部１８７、および下底に相当する長辺部１８８を備えた左右対称な略台形状を備えている。
【００２４】
一対のトラッキング駆動コイル１９も、フォーカシング駆動コイル１８と同様、扁平な巻き線型コイルであり、銅線あるいはアルミクラッド線を台形状に巻回して形成されている。トラッキング駆動コイル１９は、２つの斜辺部１９６、上底に相当する短辺部１９７、および下底に相当する長辺部１９８を備えた上下対称な略台形状を備えている。
【００２５】
一対のチルト駆動コイル１７も、フォーカシング駆動コイル１８と同様、扁平な巻き線型コイルであるが、銅線あるいはアルミクラッド線を略四角形状に巻回して形成されている。
【００２６】
このように構成した３種類の駆動コイル１７〜１９のうち、一対のチルト駆動コイル１７は、レンズホルダ１１におけるトラッキング方向Ｔｒに直交する方向における一方側の端面１１１に対してトラッキング方向Ｔｒに所定の間隔を空けて接着等により固定されている。
【００２７】
一対のトラッキング駆動コイル１９は、レンズホルダ１１の端面１１１のうち、チルト駆動コイルの斜め上方位置に接着等により固定されている。
【００２８】
フォーカシング駆動コイル１８は、一対のチルト駆動コイル１７の双方に重なるように一対のチルト駆動コイル１７の上に積層されている。従って、本形態では、一対のチルト駆動コイル１７が下段側駆動コイルとなっており、フォーカシング駆動コイル１８が上段側駆動コイルとなっている。
【００２９】
また、フォーカシング駆動コイル１８は、短辺部１８７および長辺部１８８がトラッキング方向Ｔｒに平行となるように配置され、短辺部１８７がフォーカシング方向Ｆｏの上側に、長辺部１８８がフォーカシング方向Ｆｏの下側にそれぞれ位置している。これに対して、一対のトラッキング駆動コイル１９は、短辺部１９７、および長辺部１９８がフォーカシング方向Ｆｏに平行となるように配置されているため、トラッキング駆動コイル１９の斜辺部１９６とフォーカシング駆動コイル１８の斜辺部１８６とが隣接している。
【００３０】
図４（ａ）、（ｂ）に示すように、共通駆動マグネット２１は、直方体状に形成されており、各駆動コイル１７〜１９との着磁対向面２１０は、縦線部２１１、２１２と、横線部２１３とからなる略Ｕ字形状の磁極分割線２１５によって分極着磁されている。着磁対向面２１０では、磁極分割線２１５の外側のＵ形状部分がＳ極に着磁され、磁極分割線２１５の内側の矩形状部分がＮ極に着磁されている。なお、共通駆動マグネット２１は、その厚さ方向にも分極着磁されている。
【００３１】
このように構成した共通駆動マグネット２１に対して、フォーカシング駆動コイル１８は、磁極分割線２１５の横線部２１３を跨ぐようにして、共通駆動マグネット２１の着磁対向面２１０に対向して配置されている。より具体的には、フォーカシング駆動コイル２１は、その図示上下方向の中心線と磁極分割線２１５の横線部２１３とがほぼ一致するように配置され、短辺部１８７と長辺部１８８とが異なる磁極と対向するように配置されている。従って、フォーカシング駆動時には、短辺部１８７および長辺部１８８の２辺が有効辺として機能する。
【００３２】
一対のトラッキング駆動コイル１９は、磁極分割線２１５の縦線部２１１、２１２を跨ぐようにして、共通駆動マグネット２１の着磁対向面２１０に対向して配置されている。より具体的には、トラッキング駆動コイル１９は、その図示左右方向の中心線と磁極分割線２１５の縦線部２１１、２１２とがほぼ一致するように配置され、短辺部１９７と長辺部１９８とが異なる磁極と対向するように配置されている。従って、トラッキング駆動時には、短辺部１９７および長辺部１９８の２辺が有効辺として機能する。
【００３３】
一対のチルト駆動コイル１７も、磁極分割線２１５の横線部２１３を跨ぐようにして、共通駆動マグネット２１の着磁対向面２１０に対向して配置されている。より具体的には、チルト駆動コイル１７は、その図示上下方向の中心線と磁極分割線２１５の横線部２１３がほぼ一致するように配置され、上辺部１７６と下辺部１７７とが異なる磁極と対向するように配置されている。従って、チルト駆動時には、上辺部１７６および下辺部１７７の２辺が有効辺として機能する。
【００３４】
（移動量規制手段の構成と作用）
対物レンズ駆動装置１に外部からの衝撃が加わると、レンズホルダ（可動部）が過剰変位（正常駆動時における最大変位量を超える変位）させられ、フォーカス方向においては図示しない光記録ディスクに対物レンズが衝突し、ディスクを損傷させたり、トラッキング方向においては、ワイヤが図示しない装置フレームに接触し、変形したまま元に戻らないという事態を防ぐため、本発明では、レンズホルダ１１と装置カバー２とで、レンズホルダ１１の移動量を規制する移動量規制手段を構成している。
【００３５】
より詳細に説明すると、樹脂製のレンズホルダ１１は、略矩形状の外形をしており、その外周縁部におけるワイヤ１２の先端側両側には、レンズ保持部４０の基端面１１ａよりも低い略矩形状の平坦部分１１ｂ（掘り込み部）が各々設けられている。即ちレンズホルダ１１の他の上面部である基端面１１ａに対し、後述の装置カバー２に設けた１対の第２の突起部６からフォーカス方向において遠ざかる方向に段差をなすよう形成され、また、前記各平坦部分１１ｂに連なるようにトラッキング方向と直交する側端面１１ｃがそれぞれに形成されている。
【００３６】
一方、装置カバー２は、少なくとも対物レンズのレンズ面を図示しない光ディスク側に臨ませる第１の開口部３並びにプリント基板１３０の配線パターン１３０ａを露出させる第２の開口部５を有している。前記開口部３は、通常のフォーカシング駆動時おいて記録媒体側へ最大変位をした際、可動部が装置カバーに干渉しない程度の開口の大きさとなっている。
【００３７】
この装置カバー２は、前記レンズホルダ１１の側面部を覆う前記装置カバー２のトラッキング方向と直交する左右内面側には、前記レンズホルダ１１のトラッキング方向の移動量を規制するためのリブ状に形成された第１の移動規制部としての第１の突起部７がフォーカス方向を長手方向として各々設けられている。また、前記第１の開口部３の縁部両側から対物レンズ側に向かって張出した第２の移動規制部としての一対の第２の突起部６が一体形成されている。この１対の第２の突起部６はレンズホルダ１１のフォーカシング方向の移動量を規制するための規制部として機能する。なお、前記開口部３、５や突起部６を除いた部分で磁気駆動機構１４を覆う遮蔽部８を形成している。
【００３８】
さらに装置カバー２の第１の突起部７の一端側には、ヨーク２２の底板部２２１に装着する際の位置決めとなる位置決め突起７ａが形成され、この位置決め突起７ａを底板部２２１のトラッキング方向両端側に形成された位置決め凹部２２３と係合させてタンジェンシャル方向の位置決めを行う一方、装置カバー２の第２の開口部５の縁部には、開口側に爪部が延びている係合突起９が形成され、この係合突起９をホルダ支持部材１３のプリント基板１３０の両側端面部に隣接して設けた１対の係合凹部１３ａに係合させてフォーカシング方向の位置規制を行って、装置カバー２がベースとなるヨーク２２に取り付けられている。
【００３９】
なお、本形態においては、前記レンズホルダの側端面１１ｃが、前記第１の突起部に当接可能な第１の当接部を、また前記レンズホルダ１１の平坦部分１１ｂの表面が、前記第２の突起部６に当接可能な第２の当接部を、それぞれ構成している。
【００４０】
また、前記第１の突起部７、第２の突起部６、第１の当接部１１ｃ及び第２の当接部１１ｂはいずれも、ワイヤ１２のレンズホルダ１１側固定端よりも先端側に配置され、前記第１の突起部７と第２の突起部、第１の当接部１１ｃと第２の当接部１１ｂはそれぞれ近傍位置に配置されている。従って、ワイヤ１２は前記第１の突起部と干渉することがない。
【００４１】
第１の移動規制部としての第１の突起部７とこの突起部に対向配置されたレンズホルダ１１の側端面１１ｃとは、所定のトラッキング動作量に必要な間隔があけられている。他方、レンズホルダ１１に中継基板１６を介してハンダ固定されるワイヤ１２とその対向する装置カバー内面８ａとの間隔はもとより、所定のトラッキング動作量を確保するため、前記ハンダの先端部と前記装置カバー内面８ａとの間隔も、前記第１の突起部７と前記側端面１１ｃとの間隔より大きく設定している。    
【００４２】
第２の移動規制部としての第２の突起部６とこの突起部に対向配置されたレンズホルダ１１の平坦部分１１ｂとは、所定のフォーカシング動作量に必要な間隔があけられている。他方、対物レンズ４の記録媒体側のレンズ先端面と図示しない光記録媒体面との間隔は、前記第２の突起部６と前記平坦部分１１ｂとの間隔より大きく設定している。
【００４３】
以上のように移動量規制手段が構成されると、レンズホルダ１１に対して外部からトラッキング方向やフォーカス方向へ過剰に変位させる力が加わった際、トラッキング方向の変位に対しては、前記レンズホルダ１１の側端面１１ｃが装置カバー２の第１の突起部７の表面に当接して、レンズホルダ１１のトラッキング方向の移動量を規制する。すなわち、レンズホルダ１１がトラッキング方向に過剰変位したとしても、前記側端面１１ｃが第１の突起部７に当接するため、ワイヤ１２が装置カバー２に接触することを阻止しワイヤ１２が変形することがない。
【００４４】
一方、フォーカス方向における上方側（装置カバー２の第1の開口部３側）への変位に対しては、前記レンズホルダ１１の平坦部分１１ｂと装置カバー２の第２の突起部６の対物レンズ４側に対向する面とが当接して、レンズホルダ１１のフォーカス方向の移動量を規制する。また、フォーカス方向における下方側への変位に対しては、レンズホルダ１１の底部先端がヨーク２２の底板部２２１に当接して移動量を規制する。すなわち、レンズホルダ１１がフォーカシング方向の光記録媒体側に過剰変位したとしても、前記平坦部分１１ｂが前記第２の突起部６に当接するため、対物レンズ４が光記録媒体に接触することを阻止し光記録媒体を損傷させることもない。
【００４５】
さらに本形態では、駆動時に対物レンズ４がトラッキング方向と直交する方向において傾くことを抑えるため、ワイヤ１２のレンズホルダ１１側固定端を推力中心に合わせて、前記ワイヤ１２を中継基板１６にハンダ付けしている。このため可動部としてのレンズホルダ全体をみたとき、ハンダの重量分だけ重心位置がレンズホルダの先端側に移動し重量バランスが崩れるが、前述のようにレンズホルダ１１に段差面（掘り込み部）を形成しタンジェンシャル方向の重量バランスをとっている。従って、可動部重心とフォーカス方向の推力中心とが一致するため、ピッチング共振を抑制することが可能となる。
【００４６】
（本形態の主な効果）
以上説明したように、本形態の対物レンズ駆動装置１においては、フォーカシング方向とトラッキング方向の両方向において、レンズホルダ１１と装置カバー２とを当接させて、レンズホルダの変位を規制するようにし、対物レンズやワイヤが光記録媒体や装置カバーに衝突させないようにしているので、光記録媒体やワイヤが損傷したり変形したりすることがない。
【００４７】
また、装置カバー３２が樹脂製であるため、仮にワイヤ１２やハンダとの接触があっても、ショートすることはない。
【００４８】
さらに、過剰変位を規制する移動量規制手段を構成する各部材がワイヤ１２のレンズホルダ固定端よりも先端側に配置してなるため、ワイヤに干渉することがない。
【００４９】
さらにまた、レンズホルダ１１に段差面（掘り込み部）を形成しこの部位と装置カバー２の突起部６とが当接するようにして移動量を規制したことで、装置が薄型になり、また薄型化しても、駆動時において十分フォーカシング方向のストローク（移動量）を確保することができる。
【００５０】
さらに、移動規制部を有する装置カバー２は、ベースとなるヨーク２２の底板部２２１やホルダ支持部材との係合固定であるため、特別な固定部材を必要としないため装置の小型化に有利である。
【００５１】
（その他の実施の形態）
上記形態では、装置カバーに第１の移動規制部としての第１の突起部を設けたが、装置
カバー側でなくレンズホルダ側に設けてもよい。即ち、側端面１１ｃを装置カバー側に突出させてもよい。この場合は、装置カバー側の内面は平坦にするか又は両者から少しずつ
突出させて当接させるようにしてもよい。
【００５２】
また、上記形態では、可動部のハンダ部位との接触ショート防止のため、装置カバーを樹脂製としたが、中継基板に施されるワイヤ接続のためのハンダ等との絶縁性を確保すれば、金属製の装置カバーでもよい。この場合には、より装置の薄型化が図れる。
【図面の簡単な説明】
【００５３】
【図１】（ａ）、（ｂ）は、本発明を適用した光ヘッド装置の要部の構成を示す平面図、およびその側面図である。
【図２】（ａ）、（ｂ）は、本発明を適用した装置カバーを装着した状態を示す斜視図、及び装置カバーを取り外した状態を示す分解斜視図である。
【図３】本発明を適用した光ヘッド装置において、レンズホルダをワイヤの基端側からみたときの構造を拡大して示す斜視図である。
【図４】（ａ）、（ｂ）はそれぞれ、本発明を適用した光ヘッド装置において、駆動マグネットを示す平面図、および駆動コイルと駆動マグネットとの位置関係を示す正面図である。
【符号の説明】
【００５４】
１  対物レンズ駆動装置
２  装置カバー
３  第１の開口部
４  対物レンズ
５  第２の開口部
６  第２の突起部（第２の移動規制部）
７  第１の突起部（第１の移動規制部）
７ａ  位置決め突起
９  係合突起
１１  レンズホルダ
１１ａ  基端面
１１ｂ  平坦部分（第２の当接部）
１１ｃ  側端面（第１の当接部）
１２  ワイヤ
１３  ホルダ支持部材
１３ａ  係合凹部
１４  磁気駆動機構
１６  中継基板
２２  ヨーク（固定側部材）
２２３  位置決め凹部
【図１】
2007035212.tif 000003
【図２】
2007035212.tif 000004
【図３】
2007035212.tif 000005
【図４】
2007035212.tif 000006